(57)【要約】【課題】本発明は、調理スペースで発生する汚染空気を室外に排出するレンジフードに係り、レンジフード本体の前面に設けた前面パネルを回動可能に形成して汚染空気を溜めることのできる溜めスペースを形成することにより汚染空気を良好に室外に排出できるようにしたものである。【解決手段】レンジフード本体よりも下方向に大きな前面パネルを上部パネルと下部パネルとで構成し、上部パネルを上端を支点として前方水平方向に回動可能に形成し、上部パネルに連動して下部パネルを前方上方に垂直に回動可能に形成し、前面パネルを回動したレンジフード使用時に汚染空気の溜めスペースを形成し、溜めスペースに調理中に多量に発生した汚染空気を一時的に溜めることにより、汚染空気の室外への排出性能を向上させることができるようにした。【選択図】図３
2008164269.tif 000002
【特許請求の範囲】
【請求項１】
内部に排気ファンを備えレンジの上方に設置してレンジ使用時に発生する汚染排気を排出するレンジフードにおいて、底面に汚染排気の吸込口を設けたレンジフード本体と、レンジフード本体の前面に設けレンジフード本体よりも下方向に大きな前面パネルとからレンジフードを構成し、前面パネルを上部パネルと下部パネルとで構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端がレンジフード本体の下端よりも下方に位置するとともに前面パネルを含むレンジフードの奥行がレンジの奥行と同程度となるように形成したことを特徴とするレンジフード。
【請求項２】
内部に排気ファンを備えレンジの上方に設置してレンジ使用時に発生する汚染排気を排出するレンジフードにおいて、底面に汚染排気の吸込口を、前面下方に水平に汚染排気の吸込スリットをそれぞれ設けたレンジフード本体と、レンジフード本体の前面に設けレンジフード本体よりも下方向に大きな前面パネルとからレンジフードを構成し、前面パネルを上部パネルと下部パネルとで構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端が吸込スリットよりも下方に位置するとともに前面パネルを含むレンジフードの奥行がレンジの奥行と同程度となるように形成したことを特徴とするレンジフード。
【請求項３】
内部に排気ファン及び給気ファンを備えレンジの上方に設置してレンジ使用時に発生する汚染排気を排出すると同時に室外空気を取入れて室内に給気を行うレンジフードにおいて、底面に汚染排気の吸込口を、前面上方に給気口をそれぞれ設けたレンジフード本体と、レンジフード本体の前面に設けレンジフード本体よりも下方向に大きな前面パネルとからレンジフードを構成し、前面パネルを上部パネルと下部パネルとから構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端がレンジフード本体の下端よりも下方に位置し前面パネルを含むレンジフードの奥行がレンジの奥行と同程度となるとともに給気口が開口して給気がレンジフード本体と上部パネルと下部パネルとで形成される空間を介して下方に吹出すように形成したことを特徴とするレンジフード。
【請求項４】
内部に排気ファン及び給気ファンを備えレンジの上方に設置してレンジ使用時に発生する汚染排気を排出すると同時に室外空気を取入れて室内に給気を行うレンジフードにおいて、底面に汚染排気の吸込口を、前面下方に水平に汚染排気の吸込スリットを、前面上方に給気口をそれぞれ設けたレンジフード本体と、レンジフード本体の前面に設けレンジフード本体よりも下方向に大きな前面パネルとからレンジフードを構成し、前面パネルを上部パネルと下部パネルとから構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端が吸込スリットよりも下方に位置し前面パネルを含むレンジフードの奥行がレンジの奥行と同程度となるとともに給気口が開口して給気がレンジフード本体と上部パネルと下部パネルとで形成される空間を介して下方に吹出すように形成したことを特徴とするレンジフード。
【請求項５】
レンジフード本体の上方内部に給気ファンにより取入れた室外空気を吹込む給気チャンバーを形成し、給気チャンバー内に排気ファンを駆動する電動機及び給気ファンを駆動する電動機を設けたことを特徴とする請求項３又は４に記載のレンジフード。
【請求項６】
下部パネルの下方後方であって前面パネルを回動したとき給気が流通し、前面パネルを回動しないときレンジフード本体の底面よりも下方となる位置に手元照明器具を設けたことを特徴とする請求項３〜５のいずれかに記載のレンジフード。
【請求項７】
レンジフードの横幅がレンジの横幅よりも大きいことを特徴とする請求項１〜６のいずれかに記載のレンジフード。
【請求項８】
吊り戸棚と水平方向に並べて設けられ、前面パネルを回動しないときに、高さ及び奥行が吊り戸棚と同じ大きさで、前面の外観が吊り戸棚の前面と調和している請求項１〜７のいずれかに記載のレンジフード。
【発明の詳細な説明】
【技術分野】
【０００１】
本発明は、調理スペースで発生する汚染水蒸気、油煙、煙、悪臭などを含む汚染空気を室外に排気するレンジフードに係り、特にレンジフード本体よりも下方向に大きな前面パネルを上部パネルと下部パネルとで構成し、上部パネルを上端を支点として前方水平方向に、下部パネルを前方上方に垂直に回動可能に形成して汚染空気の溜めスペースを形成したレンジフードに関するものである。
【背景技術】
【０００２】
従来、図９及び図１０に示すレンジフードが知られている（例えば、特許文献１参照）。
図９及び図１０はレンジフードの側面図であり、レンジフード本体６１の前面に補助集煙カバー６２、６３を設けている。
図９の補助集煙カバー６２は煙の多く発生する調理時に二点鎖線で示すように前面側に９０度回転し、図１０の補助集煙カバー６３は煙の多く発生する調理時に二点鎖線で示すように前面側にスライドするようにしている。
【０００３】
このように補助集煙カバー６２、６３をレンジフード本体６１の前面側に張り出させて、煙が多く発生する調理時に煙を逃がさないでレンジフード本体６１から室外に排出しようとしている。
【０００４】
また、従来、図１１に示すレンジフードが知られている（例えば、非特許文献１及び２参照）
図１１は、キッチンの概略図とともにレンジフード７１を示したもので、７２は調理台で調理台７２にはレンジ７３、シンク７４及び収納キャビネット７５が設けられている。
調理台７２の上方には、吊り戸棚７６及び吊り戸棚７６と水平方向に併設されたレンジフード７１が設けられている。
【０００５】
調理台７２に設けられたレンジ７３は横幅が７５０ｍｍで奥行が６５０ｍｍであり、吊り戸棚７６は奥行が４００ｍｍ、高さが７００ｍｍであり、レンジフード７１は横幅を９００ｍｍ、奥行及び高さを吊り戸棚７６と同じにするとともに、前面の外観を吊り戸棚７６と同じようにして調和させている。ただし、レンジフード７１には、下方部に二点鎖線で示したように、前方に可動する可動先端部７７が備えられ、可動先端部７７はレンジフード本体７８及び吊り戸棚７６よりも２２ｍｍ前方に張り出している。
【０００６】
そして、レンジフード７１の可動先端部７７は、レンジフード７１の運転と連動して自動的に前方に２２８ｍｍ移動して、可動先端部７７の先端を調理台７２のレンジ７３の前方端部と前方側に同じ距離出っ張るようにして、調理時の油煙を逃がさないでレンジフード本体７８から室外に排出しようとしている。
【特許文献１】特開２０００−９７４６２号  公報
【非特許文献１】「ＴＯＴＯ  ＫＩＴＣＨＥＮ  ＣＵＩＳＩＡ  キュイジア  セレクトカタログ  カタログNo.７３１」、東陶機器株式会社、２００６年７月発行、ｐ．３７及びｐ．２９０
【非特許文献２】「ＴＯＴＯ  ＫＩＴＣＨＥＮ  ＣＵＩＳＩＡ  キュイジア  資料集  カタログNo.７３２」、東陶機器株式会社、２００６年７月発行、ｐ．３７及びｐ．１３０
【発明の開示】
【発明が解決しようとする課題】
【０００７】
図９、図１０及び図１１に示すレンジフードは、いずれも調理時には調理中に発生する油煙をレンジフードで捕集するため、前方に張り出す補助集煙カバー６２、６３（図９及び図１０）や可動先端部７７（図１１）を備えている。
しかしながら、これら従来のレンジフードは、レンジフードの不使用時には奥行を小さくできて圧迫感を少なくでき、調理時は油煙を逃がさないようにレンジの上方に張り出すようにしているが、調理中に発生する油煙の量は変動するため、レンジフードの排気能力を超えた油煙を捕集できないという問題があった。
【０００８】
本発明は、このような従来の構成が有していた問題を解決しようとするものであり、レンジフード本体よりも下方向に大きな前面パネルを上部パネルと下部パネルとで構成し、上部パネルを上端を支点として前方水平方向に回動可能に形成し、下部パネルを前方上方に垂直に回動可能に形成して汚染空気の溜めスペースを形成し、溜めスペースに調理中に多量に発生した汚染空気を一時的に溜めることにより、汚染空気の室外への排出性能を向上させることを目的としている。
【課題を解決するための手段】
【０００９】
請求項１に係る本発明は、内部に排気ファンを備えレンジの上方に設置してレンジ使用時に発生する汚染排気を排出するレンジフードにおいて、底面に汚染排気の吸込口を設けたレンジフード本体と、レンジフード本体の前面に設けレンジフード本体よりも下方向に大きな前面パネルとからレンジフードを構成し、前面パネルを上部パネルと下部パネルとで構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端がレンジフード本体の下端よりも下方に位置するとともに前面パネルを含むレンジフードの奥行がレンジの奥行と同程度となるように形成したレンジフードである。
【００１０】
請求項２に係る本発明は、内部に排気ファンを備えレンジの上方に設置してレンジ使用時に発生する汚染排気を排出するレンジフードにおいて、底面に汚染排気の吸込口を、前面下方に水平に汚染排気の吸込スリットをそれぞれ設けたレンジフード本体と、レンジフード本体の前面に設けレンジフード本体よりも下方向に大きな前面パネルとからレンジフードを構成し、前面パネルを上部パネルと下部パネルとで構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端が吸込スリットよりも下方に位置するとともに前面パネルを含むレンジフードの奥行がレンジの奥行と同程度となるように形成したレンジフードである。
【００１１】
請求項３に係る本発明は、内部に排気ファン及び給気ファンを備えレンジの上方に設置してレンジ使用時に発生する汚染排気を排出すると同時に室外空気を取入れて室内に給気を行うレンジフードにおいて、底面に汚染排気の吸込口を、前面上方に給気口をそれぞれ設けたレンジフード本体と、レンジフード本体の前面に設けレンジフード本体よりも下方向に大きな前面パネルとからレンジフードを構成し、前面パネルを上部パネルと下部パネルとから構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端がレンジフード本体の下端よりも下方に位置し前面パネルを含むレンジフードの奥行がレンジの奥行と同程度となるとともに給気口が開口して給気がレンジフード本体と上部パネルと下部パネルとで形成される空間を介して下方に吹出すように形成したレンジフードである。
【００１２】
請求項４に係る本発明は、内部に排気ファン及び給気ファンを備えレンジの上方に設置してレンジ使用時に発生する汚染排気を排出すると同時に室外空気を取入れて室内に給気を行うレンジフードにおいて、底面に汚染排気の吸込口を、前面下方に水平に汚染排気の吸込スリットを、前面上方に給気口をそれぞれ設けたレンジフード本体と、レンジフード本体の前面に設けレンジフード本体よりも下方向に大きな前面パネルとからレンジフードを構成し、前面パネルを上部パネルと下部パネルとから構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端が吸込スリットよりも下方に位置し前面パネルを含むレンジフードの奥行がレンジの奥行と同程度となるとともに給気口が開口して給気がレンジフード本体と上部パネルと下部パネルとで形成される空間を介して下方に吹出すように形成したレンジフードである。
【００１３】
請求項５に係る本発明は、請求項３又は４に係る本発明の構成に加え、レンジフード本体の上方内部に給気ファンにより取入れた室外空気を吹込む給気チャンバーを形成し、給気チャンバー内に排気ファンを駆動する電動機及び給気ファンを駆動する電動機を設けたレンジフードである。
【００１４】
請求項６に係る本発明は、請求項３〜５のいずれかに係る本発明の構成に加え、下部パネルの下方後方であって前面パネルを回動したとき給気が流通し、前面パネルを回動しないときレンジフード本体の底面よりも下方となる位置に手元照明器具を設けたレンジフードである。
【００１５】
請求項７に係る本発明は、請求項１〜６のいずれかに係る本発明の構成に加え、レンジフードの横幅がレンジの横幅よりも大きいレンジフードである。
【００１６】
請求項８に係る本発明は、請求項１〜７のいずれかに係る本発明の構成に加え、吊り戸棚と水平方向に並べて設けられ、前面パネルを回動しないときに、高さ及び奥行が吊り戸棚と同じ大きさで、前面の外観が吊り戸棚の前面と調和しているレンジフードである。
【００１７】
本発明による作用を以下に説明する。
請求項１に係る本発明の作用は、前面パネルを上部パネルと下部パネルとで構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端がレンジフード本体の下端よりも下方に位置するとともに前面パネルを含むレンジフードの奥行がレンジの奥行と同程度となるように形成して調理中に発生する汚染空気の溜めスペースを形成し、調理中に多量に発生する場合の汚染空気を溜めスペースに一時的に溜めることを可能とした。
【００１８】
請求項２に係る本発明の作用は、前面パネルを上部パネルと下部パネルとで構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端がレンジフード本体の前面下方に水平に設けた汚染排気の吸込スリットよりも下方に位置するとともに前面パネルを含むレンジフードの奥行がレンジの奥行と同程度となるように形成して調理中に発生する汚染空気の溜めスペースを形成し、調理中に多量に発生する場合の汚染空気を溜めスペースに一時的に溜めて、吸込スリットからレンジフード本体に吸い込んで室外に排気することを可能とした。
【００１９】
請求項３に係る本発明の作用は、前面パネルを上部パネルと下部パネルとから構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端がレンジフード本体の下端よりも下方に位置し前面パネルを含むレンジフードの奥行がレンジの奥行と同程度となるとともに給気口が開口して給気がレンジフード本体と上部パネルと下部パネルとで形成される空間を介して下方に吹出すように形成して調理中に発生する汚染空気の溜めスペース兼給気吹出チャンバーを形成し、調理中に多量に発生する場合の汚染空気を溜めスペース兼給気吹出チャンバーに一時的に溜めるとともに溜めスペース兼給気吹出チャンバーからの給気により換気に伴う空気調和のための負荷を低減可能とした。
【００２０】
請求項４に係る本発明の作用は、前面パネルを上部パネルと下部パネルとから構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端がレンジフード本体の前面下方に水平に設けた汚染排気の吸込スリットよりも下方に位置し前面パネルを含むレンジフードの奥行がレンジの奥行と同程度となるとともに給気口が開口して給気がレンジフード本体と上部パネルと下部パネルとで形成される空間を介して下方に吹出すように形成して調理中に発生する汚染空気の溜めスペース兼給気吹出チャンバーを形成し、調理中に多量に発生する場合の汚染空気を溜めスペース兼給気吹出チャンバーに一時的に溜めて、吸込スリットから溜めスペースの汚染空気を吸い込んで室外に排出するとともに溜めスペース兼給気吹出チャンバーからの給気により換気に伴う空気調和のための負荷を低減可能とした。
【００２１】
請求項５に係る本発明の作用は、請求項３又は４に係る本発明の作用に加え、レンジフード本体の上方内部に給気ファンにより取入れた室外空気を吹込む給気チャンバーを形成し、給気チャンバー内に排気ファンを駆動する電動機及び給気ファンを駆動する電動機を設けて、給気チャンバーに吹込む室外空気をこれら電動機の発熱により加熱できるようにした。
【００２２】
請求項６に係る本発明の作用は、請求項３〜５のいずれかに係る本発明の作用に加え、下部パネルの下方後方であって前面パネルを回動したとき給気が流通し、前面パネルを回動しないときレンジフード本体の底面よりも下方となる位置に手元照明器具を設けて、溜めスペース兼給気吹出チャンバーの給気を手元照明器具の発熱により加熱できるようにした。
【００２３】
請求項７に係る本発明の作用は、請求項１〜６のいずれかに係る本発明の作用に加え、レンジフードの横幅をレンジの横幅よりも大きくして、レンジフードでの汚染空気を溜めスペースに確実に捕集可能とした。
【００２４】
請求項８に係る本発明の作用は、請求項１〜７のいずれかに係る本発明の作用に加え、吊り戸棚と水平方向に並べて設けられ、前面パネルを回動しないときに、高さ及び奥行が吊り戸棚と同じ大きさで、前面の外観を吊り戸棚の前面と調和させて、レンジフードの不使用時にはレンジフードの圧迫感を少なくかつレンジフードが見え難くし、吊り戸棚と統一感を持たせ、レンジフード使用時には汚染空気の確実な捕集を可能とした
【発明の効果】
【００２５】
請求項１に係る本発明は、内部に排気ファンを備えレンジの上方に設置してレンジ使用時に発生する汚染排気を排出するレンジフードにおいて、底面に汚染排気の吸込口を設けたレンジフード本体と、レンジフード本体の前面に設けレンジフード本体よりも下方向に大きな前面パネルとからレンジフードを構成し、前面パネルを上部パネルと下部パネルとで構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端がレンジフード本体の下端よりも下方に位置するとともに前面パネルを含むレンジフードの奥行がレンジの奥行と同程度となるように形成したから、調理中に発生する汚染空気の溜めスペースを形成でき、調理中に多量に発生する場合の汚染空気を溜めスペースに一時的に溜め、レンジフード本体から溜めスペースの汚染空気を室外に確実に排気することができるのである。
したがって、レンジフードの排気能力を超えた汚染空気が発生した場合でも、汚染空気を一時的に溜めスペースに捕集することができるので汚染空気の室外への排気能力を増大することができるのである。
【００２６】
請求項２に係る本発明は、内部に排気ファンを備えレンジの上方に設置してレンジ使用時に発生する汚染排気を排出するレンジフードにおいて、底面に汚染排気の吸込口を、前面下方に水平に汚染排気の吸込スリットをそれぞれ設けたレンジフード本体と、レンジフード本体の前面に設けレンジフード本体よりも下方向に大きな前面パネルとからレンジフードを構成し、前面パネルを上部パネルと下部パネルとで構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端が吸込スリットよりも下方に位置するとともに前面パネルを含むレンジフードの奥行がレンジの奥行と同程度となるように形成するようにしたから、調理中に多量に発生する場合の汚染空気を溜めスペースに一時的に溜めて、レンジフード本体の吸込スリットから溜めスペースの汚染空気を吸い込んで室外に確実に排気することができるのである。
したがって、レンジフードの排気能力を超えた汚染空気が発生した場合でも、汚染空気を一時的に溜めスペースに捕集し、吸込スリットから溜めスペースの汚染空気を吸い込んで室外に排出することができるので汚染空気の室外への排気能力を増大することができるのである。
【００２７】
請求項３に係る本発明は、内部に排気ファン及び給気ファンを備えレンジの上方に設置してレンジ使用時に発生する汚染排気を排出すると同時に室外空気を取入れて室内に給気を行うレンジフードにおいて、底面に汚染排気の吸込口を、前面上方に給気口をそれぞれ設けたレンジフード本体と、レンジフード本体の前面に設けレンジフード本体よりも下方向に大きな前面パネルとからレンジフードを構成し、前面パネルを上部パネルと下部パネルとから構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端がレンジフード本体の下端よりも下方に位置し前面パネルを含むレンジフードの奥行がレンジの奥行と同程度となるとともに給気口が開口して給気がレンジフード本体と上部パネルと下部パネルとで形成される空間を介して下方に吹出すように形成したから、調理中に発生する汚染空気の溜めスペース兼給気吹出チャンバーを形成して調理中に多量に発生する場合の汚染空気を溜めスペース兼給気吹出チャンバーに一時的に溜めるとともに溜めスペース兼給気吹出チャンバーからレンジフードからの排気量に見合う給気を供給して、給気と汚染空気とをレンジフードから室外に排気することができる。
したがって、レンジフードの排気能力を超えた汚染空気が発生した場合でも、汚染空気を一時的に溜めスペース兼給気吹出チャンバーに捕集することができるので汚染空気の室外への排気能力を増大することができ、かつレンジフードから汚染空気とともに室外に排気する空気を室内の空気調和された空気ではなく、大部分を室外からの給気とすることにより換気に伴う空気調和のための負荷を大幅に低減することができるのである。
【００２８】
請求項４に係る本発明は、内部に排気ファン及び給気ファンを備えレンジの上方に設置してレンジ使用時に発生する汚染排気を排出すると同時に室外空気を取入れて室内に給気を行うレンジフードにおいて、底面に汚染排気の吸込口を、前面下方に水平に汚染排気の吸込スリットを、前面上方に給気口をそれぞれ設けたレンジフード本体と、レンジフード本体の前面に設けレンジフード本体よりも下方向に大きな前面パネルとからレンジフードを構成し、前面パネルを上部パネルと下部パネルとから構成し、上部パネルを上端を支点として前方水平方向に回動可能に形成し、上部パネルの回動に連動して下部パネルを前方上方に垂直に回動可能に形成し、レンジフード本体の奥行をレンジの奥行より小さく、前面パネルを回動したレンジフード使用時に下部パネルの下端が吸込スリットよりも下方に位置し前面パネルを含むレンジフードの奥行がレンジの奥行と同程度となるとともに給気口が開口して給気がレンジフード本体と上部パネルと下部パネルとで形成される空間を介して下方に吹出すように形成したしたから、調理中に発生する汚染空気の溜めスペース兼給気吹出チャンバーを形成し、調理中に多量に発生する場合の汚染空気を溜めスペース兼給気吹出チャンバーに一時的に溜めて、吸込スリットから溜めスペース兼給気吹出チャンバーの汚染空気を吸い込んで室外に排出するとともに溜めスペース兼給気吹出チャンバーからレンジフードからの排気量に見合う給気を供給して、給気と汚染空気とをレンジフードから室外に排気することができる。
したがって、レンジフードの排気能力を超えた汚染空気が発生した場合でも、汚染空気を一時的に溜めスペース兼給気吹出チャンバーに捕集し、吸込スリットから溜めスペースの汚染空気を吸い込んで室外に排出することができるので汚染空気の室外への排気能力を増大することができ、かつレンジフードから汚染空気とともに室外に排気する空気を室内の空気調和された空気ではなく、大部分を室外からの給気とすることにより換気に伴う空気調和のための負荷を大幅に低減することができるのである。
【００２９】
請求項５に係る本発明は、請求項３又は４に係る本発明の効果に加え、レンジフード本体の上方内部に給気ファンにより取入れた室外空気を吹込む給気チャンバーを形成し、給気チャンバー内に排気ファンを駆動する電動機及び給気ファンを駆動する電動機を設けたから、給気チャンバーに吹込む室外空気をこれら電動機の発熱により加熱して、溜めスペース兼給気吹出チャンバーからの給気が冬季に室内の空気調和された空気よりも密度が大きくて室内下方に流れてレンジフードに吸い込まれ難くなる現象を低減できるのである。
【００３０】
請求項６に係る本発明は、請求項３〜５のいずれかに係る本発明の効果に加え、下部パネルの下方後方であって前面パネルを回動したとき給気が流通し、前面パネルを回動しないときレンジフード本体の底面よりも下方となる位置に手元照明器具を設けたから、溜めスペース兼給気吹出チャンバーの給気を手元照明器具の発熱により加熱して、溜めスペース兼給気吹出チャンバーからの給気が冬季に室内の空気調和された空気よりも大きくて室内下方に流れてレンジフードに吸い込まれ難くなる現象を低減できるのである。
【００３１】
請求項７に係る本発明は、請求項１〜６のいずれかに係る本発明の効果に加え、レンジフードの横幅がレンジの横幅よりも大きくしたから、レンジフードでの汚染空気を溜めスペースに確実に捕集して室外に確実に排出できるようにした。
【００３２】
請求項８に係る本発明は、請求項１〜７のいずれかに係る本発明の効果に加え、吊り戸棚と水平方向に並べて設けられ、前面パネルを回動しないときに、高さ及び奥行が吊り戸棚と同じ大きさで、前面の外観を吊り戸棚の前面と調和させたから、レンジフードの不使用時にはレンジフードの圧迫感を少なくかつレンジフードが見え難くし、吊り戸棚と統一感を持たせ、レンジフード使用時には汚染空気の確実な捕集できるようにして、汚染空気の排出性能とデザイン性とを両立することができる。
【発明を実施するための最良の形態】
【００３３】
以下、本発明の実施の形態を添付した図面により詳細に説明する。
図１〜図４は、本発明の第一の実施の形態を示す図面であり、図１はレンジフードの設置例を示す概略側面図、図２はレンジフードの不使用時の側面図、図３はレンジフードの使用時の側面図、図４は図２におけるレンジフードの左側の部分Ａ−Ａ断面図である。
図５〜図７は本発明の第二の実施の形態を示す図面、図８は本発明の第三の実施の形態を示す図面である。
【００３４】
図１〜図４に基づき、本発明の第一の実施の形態に係るレンジフードについて説明する。
図１はレンジフード使用時を示しており、図１において、１はレンジフード本体２と前面パネル３と前面パネル開閉機構４とからなるレンジフードであり、５はＩＨクッキングヒーター、ガスコンロなどのレンジであり、この図ではＩＨクッキングヒーターを示しており、レンジフード１はレンジ５の上方に設置してレンジ使用時に発生する汚染水蒸気、油煙、煙、悪臭などを含む汚染排気６を室外に排出するようにしている。７は調理台、８は調理室の床、９調理室の壁である。
【００３５】
図２〜図４に示すように、レンジフード１のレンジフード本体２は、内部に排気ファン２１、排気ファン２１を駆動する電動機２２、排気ファン２１の吹出口に接続し室外に開口する排気ダクト２３、フィルター２４、底面に吸込口２５をそれぞれ設けている。
レンジフード１の前面パネル３は、レンジフード本体２の前面に設けレンジフード本体２よりも下方向に大きく構成している。この実施の形態では、レンジフード本体２の高さが３７５ｍｍであるのに対し、前面パネル３は７００ｍｍとし、下方向に３２５ｍｍ大きく構成している。
【００３６】
また、前面パネル３は、上部パネル３１と下部パネル３２とで構成し、前面パネル開閉機構４により、上部パネル３１を上端を支点として図３に示すように前方水平方向に回動可能に形成し、上部パネル３１の回動に連動して下部パネル３２を前方上方に垂直に回動可能に形成している。
レンジフード本体２の奥行は前面パネル３を含めて３７５ｍｍであり、レンジ５の奥行の６５０ｍｍより小さく、かつ前面パネル３を回動したレンジフード使用時に下部パネル３２の下端がレンジフード本体１の下端よりも下方に位置するとともに前面パネル３を含むレンジフード１の奥行がレンジ５の奥行と同程度となるように形成している。
【００３７】
図１及び図３に示すように、レンジフード使用時には、レンジフード本体２と上部パネル３１と下部パネル３２とで形成される汚染空気６の溜めスペース３３を形成するようにしている。
ここで、前面パネル３を含むレンジフード１の奥行とレンジ５の奥行とが同程度とは、図１におけるレンジフード使用時に下部パネル３２から垂直下方に引いた線Ｂとレンジ５の前方端部から垂直上方に引いた線Ｃとの側面視の距離Ｄが±１００ｍｍ以下となる範囲であり、好ましくは±５０ｍｍ以下となる範囲であり、この実施の形態では、レンジフード使用時の前面パネル３を含むレンジフード１の奥行を６２５ｍｍに形成している。
【００３８】
このように前面パネル３を含むレンジフード１の奥行とレンジ５の奥行とが同程度となるように形成するのは、レンジ５による調理中に発生する汚染排気６の溜めスペース３３の大きさを確保して、調理中に多量に発生する場合の汚染空気６を一時的に溜めスペース３３に溜めることができる容積とするとともに、汚染空気６が前面パネル３から離れた前面パネル３の前方を上昇して調理室内に拡散すること防止して汚染空気６を溜めスペース３３に確実に捕集するためである。
【００３９】
前面パネル開閉機構４は、レンジフード本体２における前方隅部となる位置に一対設けており、上部パネル３１の上端に設けた第一固定回動支持部４１と、レンジフード本体２の下端に設けた第二固定回動支持部４２と、レンジフード本体２の上端から本体高さの約１／４下がった位置に設けた第三固定回動支持部４３と、上部パネル３１の下端と下部パネル３２の上端とを図２から見て内方への折り曲げ部を重ね合わせて設けた第一可動回動支持部４４と、下部パネル３２の折り曲げ部であって図３の状態で第三固定回動支持部４３と水平となる位置に設けた第二可動回動支持部４５と、第三固定回動支持部４３と第二可動支持部４５との間に設けた連結板４６と、連結板４６における第三固定回動支持部４３近くに設けた第三可動回動支持部４７と、第二固定回動支持部４２と第三可動回動支持部４６との間に設けた伸縮自在なダンパーアーム４８とから構成している。
これら固定回動支持部及び可動回動支持部は、それぞれ軸受金具、回転軸、回転軸用カラーを備えている。なお、前面パネル開閉機構４は、前面パネル３の開状態（図３）と閉状態（図２）とを保持する適宜の開状態保持手段及び閉状態保持手段を備えている。
【００４０】
そして、上部パネル３１を第一固定回動支持部４１を支点として前方水平に回動可能に形成し、第一可動回動支持部４４、第二可動回動支持部４５、連結板４６、第三可動回動支持部４７、ダンパーアーム４８、第三固定回動支持部４３及び第二固定回動支持部４２により、上部パネル３１の回動に連動して下部パネル３２を前方上方に垂直に回動可能に形成している。
前面パネル３を回動したレンジフード１使用時に下部パネル３２の下端がレンジフード本体２の前面下方に水平に設けた汚染空気６７の吸込スリット２６よりも下方に位置するようにしている。
【００４１】
この実施の形態では、レンジフード１の横幅を９００ｍｍとし、レンジ２の横幅を７５０ｍｍとしており、図３に示すレンジフード１使用時には、溜めスペース３３は上面に上部パネル３１、前面に下部パネル３２が位置し、左右両側面が開放となっている。
【００４２】
レンジフード本体２の底面には、底面から上方に傾斜する気流調整板２６を設けて断面台形の吸込通路としてその上端に吸込口２５を設けている。
吸込口２５の大きさは、横幅を８００ｍｍ、奥行を６０ｍｍとして汚染空気６を含む吸込空気の吸込速度を大きくして汚染空気６の吸込量が大きくなるようにしている。
【００４３】
また、吸込スリット２６の大きさは、横幅を８００ｍｍ、高さを１５ｍｍとしている。
排気ファン２１は、片吸込遠心多翼式であり、下方に吸込部を備え、駆動軸を垂直にした電動機２２を直結している。
なお、図２及び図３において、３４は下方パネル３２の下方部に固定した手元照明器具である。
【００４４】
以上のように構成した本発明の第一の実施の形態に係るレンジフード１の作用について以下に説明する。
レンジフード１を使用する調理時には、下部パネル３２を前方上方に引き上げると、上部パネル３１は第一固定回動支持部４１を支点として前方水平方向に回動し、図３に示すように上部パネル３１が水平で下部パネル３２が垂直の状態となり、電動機２２を駆動して排気ファン２１を運転する。
【００４５】
レンジ５を使用した調理時に発生する汚染空気６は上昇しレンジフード本体２の底面に設けられている吸込口２５に吸込まれ、吸込口２５から吸込みきれなかった一部の汚染空気６は溜めスペース３３に溜まる。
溜めスペース３３に溜まった汚染空気６はレンジフード本体２の下方に水平に設けられた吸込スリット２７からレンジフード本体２に吸込まれ、吸込口２５から吸込まれた汚染空気６とともにフィルター２４を通って排気ファン２１に吸込まれ排気ダクト２３から室外に排出されるのである。
【００４６】
レンジフード１の使用時は、上記のように溜めスペース３３が形成され汚染空気６が調理室内に拡散することを防止しながら、図２に示す前面パネル３を回動しないレンジフード１の不使用時は、前面パネル３をレンジフード本体２よりも下方向に３２５ｍｍ大きくしており、レンジフード本体２が正面から見え難くなっているとともにレンジフード１の奥行も小さいのですっきりとして圧迫感も少なくしている。
【００４７】
以上の第一の実施の形態では、レンジフード本体２の前面下方に水平に吸込スリット２７を設けたが、吸込スリット２７を設けなくてもよい。
その場合、下部パネル３２の下端をレンジフード本体２の下端よりも下方に位置するようにして、溜めスペース３３に溜まった汚染空気６を吸込口２５又は適宜別途形成した吸込開口からレンジフード本体２に吸込ませるようにすればよい。
【００４８】
また、第一の実施の形態では、溜めスペース３３の左右両側面を開放状態としたが、適宜の耐火シートを取付けることもできる。
【００４９】
次に、本発明の第二の実施の形態に係るレンジフードについて、図５〜図７に基づき説明する。
図５はレンジフードの不使用時の側面図、図６はレンジフードの使用時の側面図、図７は図５の平面図である。
【００５０】
第二の実施の形態は、第一の実施の形態に、さらに給気ファンを設けて給排気用のレンジフードとしたものである。
以下、第一の実施の形態と同様な構成については、説明を省略ないし簡略にし、第一の実施の形態と異なる構成について説明する。
【００５１】
図５〜図７において、５１は給気ファン、５２は給気ファン５１を駆動する電動機、５３は一端を給気ファン５１の吸込部に接続し他端を室外に開口する給気ダクトであり、給気ファン５１の吹出口５４をレンジフード本体２の上方内部に開口して、レンジフード本体内部を給気ファン５１により取入れた室外空気を吹込む給気チャンバー５５に形成している。
給気チャンバー５５には、排気ファン２１、排気ファン２１用の電動機２２、給気ファン５１、給気ファン５１用の電動機５２を設けて給気チャンバー５４に吹込む室外空気をこれら電動機２２、５２の発熱により加熱するようにしている。なお、図示していないが、排気ファン２１用の電動機２２を両軸として、排気ファン２１の他端側に撹拌羽根を取付けて給気チャンバー５４内の給気を撹拌して電動機２２、５２と給気との熱交換を良好にするようにしている。
【００５２】
また、レンジフード本体２の前面上方に給気チャンバー５５と連通する給気口５６を設け、前面パネル３が回動したレンジフード２の使用時に給気口５６が開口して給気がレンジフード本体２と上部パネル３１と下部パネル３２とで形成される溜めスペース兼給気吹出チャンバー５７を介して下方に吹出すように形成している。
図５及び図６において、５８は給気チャンバー５５から溜めスペース兼給気吹出チャンバー５７に吹出す給気の速度を均一にするために給気口５６に設けた給気調整部材であり、所定の流通抵抗をもつ多孔質材、網状材料などを用いるのである。５９は溜めスペース兼給気吹出チャンバー５７からの給気をガイドする給気ガイドである。
【００５３】
給気ファン５１の給気量は排気ファン２１の排気量とほぼ同じかやや多く設定して、調理室内を大気圧か大気圧よりもやや高めにしている。
そして、溜めスペース兼給気吹出チャンバー５７から吹出す給気の流速は０．５〜０．８ｍ／ｓに設定して、調理時にレンジ５で発生する汚染空気６をふぁーと覆ってレンジフード本体２の吸込口２５に吸い込むのを助けるようにし、換気に伴う空気調和のための負荷の低減を図っている。
【００５４】
以上のように構成した本発明の第二の実施の形態に係るレンジフード１の作用について以下に説明する。
レンジフード１を使用する調理時には、第一の実施の形態と同様に、下部パネル３２を前方上方に引き上げると、上部パネル３１は第一固定回動支持部４１を支点として前方水平方向に回動し、図６に示すように上部パネル３１が水平で下部パネル３２が垂直の状態となり、電動機２２、５２を駆動して排気ファン２１及び給気ファン５２を運転する。
【００５５】
レンジ５を使用した調理時に発生する汚染空気６は上昇しレンジフード本体２の底面に設けられている吸込口２５に吸込まれ、吸込口２５から吸込みきれなかった一部の汚染空気６中の汚染水蒸気、油煙、煙、悪臭などの汚染成分は溜めスペース兼給気吹出チャンバー５７に拡散して溜まる。
溜めスペース兼給気吹出チャンバー５７に溜まった汚染成分はレンジフード本体２の下方に水平に設けられた吸込スリット２７からレンジフード本体２に吸込まれ、吸込口２５から吸込まれた汚染空気６とともにフィルター２４を通って排気ファン２１に吸込まれ排気ダクト２３から室外に排出され、同時に給気ファン５１により給気チャンバー５５に吹込む室外空気（給気）は、排気ファン２１用及び給気ファン５１用の電動機２２、５２の発熱により加熱されて、給気調整部材５８により流速を調整されて給気口５６から溜めスペース兼給気吹出チャンバー５７に入り、溜めスペース兼給気吹出チャンバー５７に設けられた手元照明器具３４の発熱により加熱されて給気ガイド５９にガイドされて汚染空気６をふぁーと覆って汚染空気６が吸込口２５に吸い込むのを助けるようにしている。給気を電動機２２、５２及び手元照明器具３４で加熱するのは、冬季の外気低温時に給気が調理室内の空気調和された空気よりも密度が大きくて調理室の床面に流れて吸込口２５に吸込まれ難くなるのを緩和している。
【００５６】
レンジフード１の使用時は、上記のように溜めスペース兼給気吹出チャンバー５７が形成され汚染空気６が調理室内に拡散することを防止しながら、図５に示す前面パネル３を回動しないレンジフード１の不使用時は、前面パネル３をレンジフード本体２よりも下方向に３２５ｍｍ大きくしており、レンジフード本体２が正面から見え難くなっているとともにレンジフード１の奥行も小さいのですっきりとして圧迫感も少なくしている。
【００５７】
以上の第二の実施の形態では、レンジフード本体２の前面下方に水平に吸込スリット２７を設けたが、吸込スリット２７を設けなくてもよい。
その場合、下部パネル３２の下端をレンジフード本体２の下端よりも下方に位置するようにして、溜めスペース兼給気吹出チャンバー５７に溜まった汚染空気６を吸込口２５又は適宜別途形成した吸込開口からレンジフード本体２に吸込ませるようにすればよい。
【００５８】
また、第二の実施の形態では、溜めスペース３３の左右両側面を開放状態としたが、適宜の耐火シートを取付けることもできる。
さらに、第二の実施の形態では、排気ファン２１用及び給気ファン５１用の電動機２２、５２及び手元照明器具３４の発熱により給気を加熱するようにしたが、給気の加熱をしなくてもよく、一方の電動機の発熱で、あるいは手元照明器具の発熱で加熱するようにしてもよい。
【００５９】
次に、本発明の第三の実施の形態に係るレンジフードについて、図８に基づき説明する。
第三の実施の形態は、第二の実施の形態に係るレンジフードの前面パネル開閉機構について、他の形態を示すものある。
【００６０】
図８はレンジフード使用時の側面図である。
図８において、１０は前面パネル開閉機構であり、レンジフード本体２における左右側部に、側面視で正方形の一角部を中心として２辺を円弧とした四分の一円状の回動板１１を角部１２を中心として９０度回動可能に設け、二点鎖線で示すようにレンジフード１の不使用時には回動板１１の一方の直線部１３がレンジフード本体２の上端に水平に位置し、他方の直線部１４がレンジフード本体２の前面に垂直に位置するようにしている。
【００６１】
回動板１１の他方の直線部１３には、前面パネル３の上部パネル３１を固定しており、上部パネル３１と下部パネル３２とは複数の蝶番３５により連結している。
また、レンジフード１には、回動板１１を図示の状態に保持する適宜の保持手段を備えている。そして、下部パネル３２の側部中央部には支持アーム３６の一端を回動自在に固定し、支持アーム３６の他端を係合する係合部１５を回動板１１設けている。
【００６２】
レンジフード１を使用する調理時には、下部パネル３２を前方上方に引き上げると、上部パネル３１は回動板１１の角部１２を支点として前方水平方向に回動し、上部パネル３１が水平で下部パネル３２が垂直の状態で、支持アーム３６を係合部１５に係合させてこの状態を保持するのであり、レンジフード１の不使用時には支持アーム３６を係合部１５から外して前面パネル３をレンジフード本体２の前面に垂直に位置させるのである。
第三の実施の形態は、上記前面パネル開閉機構１０を除き第二の実施の形態と同じであるので、説明を省略する。
【００６３】
この第三の実施の形態における前面パネル開閉機構を第一の実施の形態における前面パネル開閉機構に適用してもよい。
【図面の簡単な説明】
【００６４】
【図１】本発明の第一の実施の形態に係るレンジフードの設置例を示す概略側面図。
【図２】図１におけるレンジフードの不使用時の側面図。
【図３】図１におけるレンジフードの使用時の側面図。
【図４】図２におけるレンジフードの左側の部分Ａ−Ａ断面図。
【図５】本発明の第二の実施の形態に係るレンジフードの不使用時の側面図。
【図６】図５におけるレンジフードの使用時の側面図。
【図７】図５におけるレンジフードの平面図。
【図８】本発明の第三の実施の形態に係るレンジフードの使用時の側面図。
【図９】従来のレンジフードを示す側面図。
【図１０】従来の他のレンジフードを示す側面図。
【図１１】従来のさらに他のレンジフードを含むキッチンの概略図。
【符号の説明】
【００６５】
１    レンジフード
２    レンジフード本体
３    前面パネル
４    前面パネル開閉機構
６    汚染空気
１０  前面パネル開閉機構
２１  排気ファン
２２  電動機
２５  吸込口
２７  吸込スリット
３１  上部パネル
３２  下部パネル
３３  溜めスペース
３４  手元照明器具
５１  給気ファン
５２  電動機
５５  給気チャンバー
５６  給気口
５７  溜めスペース兼給気吹出チャンバー
【図１】
2008164269.tif 000003
【図２】
2008164269.tif 000004
【図３】
2008164269.tif 000005
【図４】
2008164269.tif 000006
【図５】
2008164269.tif 000007
【図６】
2008164269.tif 000008
【図７】
2008164269.tif 000009
【図８】
2008164269.tif 000010
【図９】
2008164269.tif 000011
【図１０】
2008164269.tif 000012
【図１１】
2008164269.tif 000013